(57)【要約】【課題】床面の塵埃の集塵性能を低下することなく、様々な条件下において高い操作性を維持することができ、更に空気中の浮遊塵埃も捕集できる電気掃除機を提案すること。【解決手段】吸込具３１の上面に設けられ、浮遊塵埃を吸引する開閉自在の空気取入口３５と、吸込具３１内の真空度を検出する圧力センサ（真空度検出手段）１８と、使用者が運転ポジションを選択する選択手段とを備え、空気取入口３５は、その開口率が、運転ポジションに基づいて、予め定めた所定の値となるように制御され、圧力センサ１８から検出される出力値が、予め集塵室又は集塵袋に塵埃が蓄積されていない状態で測定により得られた前記吸込具内の真空度の所定の値と異なるときは、前記所定の値の開口率を補正するようにしたもので、常に最適な操作性と集塵性能とを両立させることが可能で、空気中の浮遊塵埃も捕集できる電気掃除機を、実現できる。【選択図】図３
2009247597.tif 000002
【特許請求の範囲】
【請求項１】
吸引風を発生する電動送風機と、前記電動送風機に連通し且つ、下面に設けられた塵埃吸込み口から床面の塵埃を吸引する吸込具と、吸引した塵埃を捕集する集塵室又は集塵袋と、前記吸込具の上面に設けられ、浮遊塵埃を吸引する開閉自在の空気取入口と、前記吸込具内の真空度を検出する真空度検出手段と、使用者が運転ポジションを選択する選択手段とを備え、前記空気取入口は、その開口率が、運転ポジションに基づいて、予め定めた所定の値となるように制御され、前記真空度検出手段から検出される出力値が、予め前記集塵室又は集塵袋に塵埃が蓄積されていない状態で測定により得られた前記吸込具内の真空度の所定の値と異なるときは、前記所定の値の開口率を補正するようにしたことを特徴とする電機掃除機。
【請求項２】
吸引風を発生する電動送風機と、前記電動送風機に連通し且つ、下面に設けられた塵埃吸込み口から床面の塵埃を吸引する吸込具と、吸引した塵埃を捕集する集塵室又は集塵袋と、前記吸込具の上面に設けられ、浮遊塵埃を吸引する開閉自在の空気取入口と、前記吸込具内の真空度を検出する真空度検出手段と、使用者が運転ポジションを選択する選択手段と、吸込具上面に開設した空気取入口から電動送風機までの吸気経路Ａと、前記吸込具下面に開設した塵埃吸込口から電動送風機までの吸気経路Ｂと、前記吸気経路Ａに設けられた塵埃検出手段Ａと、前記吸気経路Ｂに設けられた塵埃検出手段Ｂとを備え、前記空気取入口は、その開口率が、運転ポジションと前記塵埃検出手段Ａ、Ｂにより検出される各々の塵埃量とに応じて、予め定めた所定の値となるように制御され、前記真空度検出手段から検出される出力値が、予め前記集塵室又は集塵袋に塵埃が蓄積されていない状態で測定により得られた前記吸込具内の真空度の所定の値と異なるときは、前記所定の値の開口率を補正するようにしたことを特徴とする電気掃除機。
【請求項３】
真空度検出手段から検出される出力値が、予め集塵室又は集塵袋に塵埃が蓄積されていない状態で測定により得られた吸込具内の真空度の値から、所定値以上、下回った場合は、開口率が小さくなるように補正すると共に、所定値以上、上回った場合は、開口率が大きくなるように補正することを特徴とする請求項１または２に記載の電気掃除機。
【発明の詳細な説明】
【技術分野】
【０００１】
本発明は、電気掃除機に関するものであり、特に空気中の浮遊塵埃をも捕集するための制御に関するものでる。
【背景技術】
【０００２】
従来のこの種の電気掃除機として、吸込具上面に多数の微小孔を設けたもの（例えば、特許文献１参照）がある。
【特許文献１】特許第２８１７００４号公報
【発明の開示】
【発明が解決しようとする課題】
【０００３】
しかしながら、上記特許文献１に記載された方法によれば、吸込具上面の微小孔によって、前記吸込具内の真空度が低下するために、床面からの吸引力が低下してしまう。又、一般的に電気掃除機は、使用者の目的に応じて、電動送風機の吸引力を使用者が選択できるようになっており、例えば「弱ポジション」のように電動送風機の吸引力が小さい運転の際には、前記吸込具上面の微小孔からの吸込み力は無いに等しくなってしまうという課題がある。更に言えば、従来の電気掃除機全般に共通する課題として、壁際や毛足の長いじゅうたん上を掃除する際には、吸込具下面の塵埃吸込口と床面との密閉率が高くなるために、吸込具内の真空度が上がり、結果、吸込具の操作性が重くなってしまうという課題もある。
【０００４】
本発明は前記従来の課題を解決するもので、床面の塵埃の集塵性能を落とすことなく且つ、様々な条件下において、高い操作性を維持することができ、更に空気中の浮遊塵埃も捕集することのできる電気掃除機を提案するものである。
【課題を解決するための手段】
【０００５】
前記従来の課題を解決するために本発明は、吸引風を発生する電動送風機と、前記電動送風機に連通し且つ、下面に設けられた塵埃吸込み口から床面の塵埃を吸引する吸込具と、吸引した塵埃を捕集する集塵室又は集塵袋と、前記吸込具の上面に設けられ、浮遊塵埃を吸引する開閉自在の空気取入口と、前記吸込具内の真空度を検出する真空度検出手段と、使用者が運転ポジションを選択する選択手段とを備え、前記空気取入口は、その開口率が、運転ポジションに基づいて、予め定めた所定の値となるように制御され、前記真空度検出手段から検出される出力値が、予め前記集塵室又は集塵袋に塵埃が蓄積されていない状態で測定により得られた前記吸込具内の真空度の所定の値と異なるときは、前記所定の値の開口率を補正するようにした。これにより、例えば、運転ポジションが「強」のときのように、床面上の塵埃に対する吸引力が必要な際には、前記開口率を小さくすることで吸込具内の真空度を高く保ち、高い床面集塵性能を維持すると共に、運転ポジションが「弱」のときのように、電動送風機自体の吸引力が低い場合には、前記開口率を大きくすることで、十分な浮遊塵埃集塵性能を発揮できるだけでなく、前記吸込具内の真空度が高いときには前記開口率を大きくする方向に補正し、前記吸込具内の真空度が低い時には前記開口率を小さくする方向に補正することで、例えば毛足の長いじゅうたんのように密着性の高い床面を掃除する場合であっても、逆にフローリングのように密着性の低い床面を掃除する場合であっても、常に最適な操作性と集塵性能とを両立させることが可能となるものである。
【発明の効果】
【０００６】
本発明の電気掃除機は、床面の塵埃の集塵性能を低下させることなく、様々な条件下において、高い操作性を維持することができ、更に空気中の浮遊塵埃も捕集することのできる、使い勝手の高い電気掃除機を提供できるものである。
【発明を実施するための最良の形態】
【０００７】
第１の発明は、吸引風を発生する電動送風機と、前記電動送風機に連通し且つ、下面に設けられた塵埃吸込み口から床面の塵埃を吸引する吸込具と、吸引した塵埃を捕集する集塵室又は集塵袋と、前記吸込具の上面に設けられ、浮遊塵埃を吸引する開閉自在の空気取入口と、前記吸込具内の真空度を検出する真空度検出手段と、使用者が運転ポジションを選択する選択手段とを備え、前記空気取入口は、その開口率が、運転ポジションに基づいて、予め定めた所定の値となるように制御され、前記真空度検出手段から検出される出力値が、予め前記集塵室又は集塵袋に塵埃が蓄積されていない状態で測定により得られた前記吸込具内の真空度の所定の値と異なるときは、前記所定の値の開口率を補正するようにしたことを特徴とする電機掃除機としたものであり、例えば、運転ポジションが「強」のときのように、床面上の塵埃に対する吸引力が必要な際には、前記開口率を小さくすることで吸込具内の真空度を高く保ち、高い床面集塵性能を維持すると共に、運転ポジションが「弱」のときのように、電動送風機自体の吸引力が低い場合には、前記開口率を大きくすることで、十分な浮遊塵埃集塵性能を発揮できるだけでなく、前記吸込具内の真空度が高いときには前記開口率を大きくする方向の補正をかけ、前記吸込具内の真空度が低い時には前記開口率を小さくする方向の補正をかけることで、例えば毛足の長いじゅうたんのように密着性の高い床面を掃除する場合であっても、逆にフローリングのように密着性の低い床面を掃除する場合であっても、常に最適な操作性と集塵性能とを両立させることが可能となるものである。
【０００８】
第２の発明は、吸引風を発生する電動送風機と、前記電動送風機に連通し且つ、下面に設けられた塵埃吸込み口から床面の塵埃を吸引する吸込具と、吸引した塵埃を捕集する集塵室又は集塵袋と、前記吸込具の上面に設けられ、浮遊塵埃を吸引する開閉自在の空気取入口と、前記吸込具内の真空度を検出する真空度検出手段と、使用者が運転ポジションを選択する選択手段と、吸込具上面に開設した空気取入口から電動送風機までの吸気経路Ａと、前記吸込具下面に開設した塵埃吸込口から電動送風機までの吸気経路Ｂと、前記吸気経路Ａに設けられた塵埃検出手段Ａと、前記吸気経路Ｂに設けられた塵埃検出手段Ｂとを備え、前記空気取入口は、その開口率が、運転ポジションと前記塵埃検出手段Ａ、Ｂにより検出される各々の塵埃量とに応じて、予め定めた所定の値となるように制御され、前記真空度検出手段から検出される出力値が、予め前記集塵室又は集塵袋に塵埃が蓄積されていない状態で測定により得られた前記吸込具内の真空度の所定の値と異なるときは、前記所定の値の開口率を補正するようにしたことを特徴とする電気掃除機としたものであり、第１の発明の効果に加えて、例えば床面の汚れが高い（塵埃が多い）ときには空気取入口の開口面積を小さくして床面集塵性能を上げ、逆に空気中の汚れが高い（塵埃が多い）ときには空気取入口の開口面積を大きくして、浮遊塵埃の集塵性能を上げる等、被掃除面・空間の汚れ具合に応じた最適な制御が行えるものである。
【０００９】
第３の発明は、第１または第２の発明の真空度検出手段から検出される出力値が、予め集塵室又は集塵袋に塵埃が蓄積されていない状態で測定により得られた吸込具内の真空度の値から、所定値以上、下回った場合は、開口率が小さくなるように補正すると共に、所定値以上、上回った場合は、開口率が大きくなるように補正することを特徴とするもので、例えば毛足の長いじゅうたんのように密着性の高い床面を掃除する場合であっても、逆にフローリングのように密着性の低い床面を掃除する場合であっても、常に最適な操作性と集塵性能とを両立させることが可能となるものである。
【００１０】
以下、本発明の実施の形態について、図面を参照しながら説明する。なお、この実施の形態によって本発明が限定されるものではない。
【００１１】
（実施の形態１）
本発明の第１の実施の形態における電気掃除機について、図１〜図３を用いて説明する。図２は、本実施の形態における電気掃除機の全体斜視図である。図２において、掃除機本体２１は、後部に電動送風機２を内蔵した電動送風機室２２が配され、前部に、塵埃を捕集する集塵室２３が配され、掃除機本体２１の前部には、ホース２４の一端に設けた接続パイプ２５が着脱自在に接続される吸気口２６が設けられている。ホース２４の他端には、掃除の際に握ると共に掃除機本体２１の運転ポジションを選択するための操作部５を有する把手２７を備えた先端パイプ２８が設けられている。前記操作部５は、「強」スイッチ５ａ（図示せず）、「中」スイッチ５ｂ（図示せず）、「弱」スイッチ５ｃ（図示せず）、「切」スイッチ５ｄ（図示せず）により構成される。２９は伸縮自在の延長管で、下流側端部が前記先端パイプ２８に着脱自在に接続され、他端は、吸込具３１に着脱自在に接続される。又、掃除機本体２１の後部には、コンセント（商用電源１）に接続して、掃除機本体２１に内蔵されている回路基板Ａ３２（図示せず）に電源を供給するための電源コード８が設けられている。
【００１２】
図３は前記吸込具３１の断面図であり、後方に、前記延長管２９と接続され且つ、一定範囲で回動自在に構成された接続管３７を有し、下面には床面の塵埃を吸引するための塵埃吸込口３４を有し、回転ブラシモータ６によって回転駆動し、床面の塵埃を掻き上げる回転ブラシ３０と、その近傍に、吸込具３１内の真空度を検出する真空度検出手段としての圧力センサ１８とを内蔵している。更に、上面には空気中に浮遊する塵埃を吸引するための空気取入口３５と、その開口面積を変更するためのシャッター３６を有している。また、前記シャッター３６は、減速機３８を介して、双方向に回転可能なシャッターモータ１０と係合しており、前記シャッターモータ１０の回転数検知手段として、ホールＩＣ１１が配されている。更に、前記空気取入口３５から前記接続管３７までの吸気経路内には、対向して設けられた発光素子Ｂ１４と受光素子Ｂ１５により構成される塵埃検出手段Ｂ１７が設けられている。
【００１３】
また、前記ホース２４の前記接続パイプ２５内には、前記塵埃検出手段Ｂ１７と同一構成の塵埃検出手段Ａ１６（図示せず）が設けられている。
【００１４】
次に、図１を用いて制御回路構成を説明する。商用電源１には、信号制御手段９に電源を供給するための電源回路４と、電動送風機２と、回転ブラシモータ６が接続されている。前記電動送風機２と回転ブラシモータ６は、それぞれ駆動回路Ａ３と駆動回路Ｂ７を介して、前記商用電源１から電源が供給されるように構成されており、前記信号制御手段９により位相制御されるよう構成されている。この時の位相制御角は、信号制御手段９に接続された操作部５の各スイッチ５ａ〜５ｄからの入力信号と、塵埃検知手段Ａ１６及びの塵埃検知手段Ｂ１７からの出力信号に応じて決定されている。尚、実際には、塵埃検知手段からの出力信号を直接前記信号制御手段９に入力しているわけではなく、各々パルス変換手段Ａ１９、パルス変換手段Ｂ２０を介して入力しており、前記信号制御手段９は、前記パルス変換手段Ａ、Ｂから出力されるパルス数が多い時には塵埃量が多く、少ない時には塵埃量が少ないと判断できるように構成されている。シャッターモータ１０は、電源回路４で作られた直流電源と、駆動回路Ｃ３９を介して接続されており、前記駆動回路Ｃ３９は、信号制御手段９により制御されている。又、シャッターモータ１０の回転数を検出するためのホールＩＣ１１は、前記シャッターモータ１０が１回転する間に、１パルスを前記信号制御手段９に出力するように構成されている。
【００１５】
次に、上記のように構成された、本実施の形態における電気掃除機の動作、作用について説明する。
【００１６】
電源投入時即ち電源コード８がコンセント（商用電源１）に挿入された時には、電動送風機２は停止状態である。一方、シャッターモータ１０を、シャッター３６が閉じる方向（以降、逆転と記載する）に２０回転させることで前記シャッター３６を全閉する。尚、前記シャッターモータ１０が２０回転したことは、ホールＩＣ１１からの出力によって検知するように構成されている。使用者の操作によって、操作部５の各スイッチ５ａ〜５ｃが押された場合、押されたスイッチに応じた運転ポジションで運転を開始する。信号制御手段９は、運転ポジションに応じた狙いの入力になるように、駆動回路Ａ３を介して電動送風機２を位相制御すると同時に、前記空気取入口３５の開口面積（率）が、運転ポジションに応じた狙いの値となるように、シャッターモータ１０を、シャッター３６が開く方向（以降、正転と記載する）に所定量回転させる。
【００１７】
本実施の形態においての、各運転ポジションの入力狙い、シャッターモータ１０の回転量と空気取入口３５の開口面積（率）狙い及び、この時の吸込具３１内の標準的な真空度（集塵室２３内に塵埃が蓄積されていない状態で且つ、ウィルトン７ｍｍのじゅうたん上を掃除した時の真空度で、予め実験により測定された値）を下表に示す。
【００１８】
【表１】
2009247597.tif 000003
【００１９】
また、電動送風機２が駆動している時に「切」スイッチ５ｄを押すと、信号制御手段９は、電動送風機２を停止すると同時に、シャッターモータ１０を２０回転逆転することで、シャッター３６を全閉している。
【００２０】
実際に掃除を進めていく中で、集塵室２３内には次第に吸引した塵埃が溜まっていくために、同じ開口面積（率）であっても、前記集塵室２３よりも上流側の真空度は低下していき結果、集塵性能が低下してゆく。又逆に、毛足の長いじゅうたん上や、壁際等を掃除する際には、吸込具３１下面の塵埃吸込口３４と床面との密閉性が上がるため、前記吸込具３１が床面に吸着して、操作力が重くなってしまう。この対応策として、本実施の形態においては、吸込具３１内に設けられた圧力センサ１８から検出した真空度と、表１の標準真空度との差に応じて、空気取入口３５の開口面積（率）に補正をかけている。具体的には、下表に示すテーブルに基づいて、運転ポジションと、「標準真空度−圧力センサ１８から検出した真空度」とにより決定される補正量を、表１の開口面積（率）狙いに加えている。
【００２１】
【表２】
2009247597.tif 000004
【００２２】
但し、上表に基づいた補正の結果、開口面積（率）が５％以下になる場合には、開口面積（率）を一律５％とし、シャッター３６が全閉にならないようにしている。
【００２３】
例えば、運転ポジションが「中」のときで、圧力センサ１８から検出した真空度が８５００Ｐａだった場合、「中」のポジションの標準真空度（７０００Ｐａ）に対して１５００Ｐａ高いので、表２より、補正量は＋１０％となる。「中」のポジションの開口面積（率）狙いは５０％であるので、補正後の開口面積（率）は６０％となる。開口面積（率）を６０％とした時に、圧力センサ１８から検出した真空度が７５００Ｐａまで低下した場合は、そのままの開口面積（率）を維持するが、例えば次第に集塵室２３内に塵埃が蓄積されて、真空度が６０００Ｐａまで低下したら、標準真空度（７０００Ｐａ）よりも１０００Ｐａ低いことになるため、表２に従い、補正量を−１０％し、開口面積（率）を５０％に再設定する。
【００２４】
このように、床面の集塵性能が必要な運転ポジション即ち、例えば「強」ポジションの時には、他のポジションよりも、空気取入口３５の開口面積を小さくすることで吸込具３１内の真空度を高くして集塵性能を確保した上で、更に、じゅうたん上や壁際など、吸込具３１内の真空度が高くなり過ぎて吸着することで操作性が悪化する場合には、空気取入口３５の開口面積を大きくすることで、その運転ポジションに応じた操作性を確保することが可能となる。
【００２５】
尚、本実施の形態においては、開口面積（率）の補正に圧力センサ１８を用いているが、圧力センサで吸込具３１内の真空度を、直接検知する代わりに、風量センサによって空気取入口３５からの吸気風量を検知し、その風量に応じて開口面積（率）に補正をかけるようにすれば、浮遊塵埃の集塵性能をほぼ一定に保つことも可能である。
【００２６】
（実施の形態２）
本発明の第２の実施の形態における電気掃除機について説明する。尚、実施の形態１と同一構成部品については、同一符号を付し、その説明を省略する。
【００２７】
電源投入時即ち電源コード８がコンセント（商用電源１）に挿入された時には、電動送風機２は停止状態である。一方、シャッターモータ１０を、シャッター３６が閉じる方向（以降、逆転と記載する）に２０回転させることで前記シャッター３６を全閉する。尚、前記シャッターモータ１０が２０回転したことは、ホールＩＣ１１からの出力によって検知するように構成されている。使用者の操作によって、操作部５の各スイッチ５ａ〜５ｃが押された場合、押されたスイッチに応じた運転ポジションで運転を開始する。信号制御手段９は、運転ポジションに応じた狙いの入力になるように、駆動回路Ａ３を介して電動送風機２を位相制御すると同時に、前記空気取入口３５の開口面積（率）が、運転ポジションに応じた狙いの値となるように、シャッターモータ１０を、シャッター３６が開く方向（以降、正転と記載する）に所定量回転させる。
【００２８】
本実施の形態においての、各運転ポジションの入力狙い、シャッターモータ１０の回転量と空気取入口３５の開口面積（率）狙いを下表に示す。
【００２９】
【表３】
2009247597.tif 000005
【００３０】
また、電動送風機２が駆動している時に「切」スイッチ５ｄを押すと、信号制御手段９は、電動送風機２を停止すると同時に、シャッターモータ１０を２０回転逆転することで、シャッター３６を全閉している。
【００３１】
ここで、表３における「強」のポジション、「中」のポジション及び「弱」のポジションの入力・回転数・開口面積（率）の狙い値は、塵埃検出手段Ａ及び塵埃検出手段Ｂからの出力がゼロ即ち、床面及び空気取入口３５からの吸気内に塵埃が含まれていない場合の狙い値であり、床面又は空気取入口３５からの吸気内に塵埃が含まれている場合は、その塵埃量及び、運転モードに応じて入力を変更すると共に、開口面積（率）も変更する。
【００３２】
次に、「中」のポジションの時の塵埃検出手段Ａ及び塵埃検出手段Ｂからの出力パルス数と、入力狙い、開口面積（率）狙い及び、この時の吸込具３１内の標準的な真空度（集塵室２３内に塵埃が蓄積されていない状態で且つ、ウィルトン７ｍｍのじゅうたん上を掃除した時の真空度で、予め実験により測定された値）とを表４に示す。
【００３３】
【表４】
2009247597.tif 000006
【００３４】
次に、「弱」のポジションの時の塵埃検出手段Ａからの出力パルス数と、入力狙い、開口面積（率）狙い及び、この時の吸込具３１内の標準的な真空度（集塵室２３内に塵埃が蓄積されていない状態で且つ、ウィルトン７ｍｍのじゅうたん上を掃除した時の真空度で、予め実験により測定された値）とを表５に示す。尚、「弱」ポジションでは、塵埃検出手段Ｂからの出力パルス数によって、入力・開口面積狙い及び、標準真空度は変化しない設定にしている。
【００３５】
【表５】
2009247597.tif 000007
【００３６】
最後に、表６に、「強」ポジションの時の塵埃検出手段Ａ及び塵埃検出手段Ｂからの出力パルス数と、開口面積（率）狙い及び、この時の吸込具３１内の標準的な真空度（集塵室２３内に塵埃が蓄積されていない状態で且つ、ウィルトン７ｍｍのじゅうたん上を掃除した時の真空度で、予め実験により測定された値）とを示す。尚、「強」ポジションでは、出力パルス数によって、入力狙いは変化しない設定（全て１０００Ｗ狙い）にしている。
【００３７】
【表６】
2009247597.tif 000008
【００３８】
これにより、床面からの吸気内に塵埃が含まれている場合は、開口面積（率）を小さくすることで、吸込具３１内の真空度を上げて、床面からの集塵性能を上げるように制御し。逆に空気取入口３５からの吸気内に塵埃が含まれている場合は、開口面積（率）を大きくして、浮遊塵埃の集塵性能を上げるように制御することが可能となる。
【００３９】
更に、実際に掃除を進めていく中で、集塵室２３内には次第に吸引した塵埃が溜まっていくために、同じ開口面積（率）であっても、前記集塵室２３よりも上流側の真空度は低下していき結果、集塵性能が低下してゆく。又逆に、毛足の長いじゅうたん上や、壁際等を掃除する際には、吸込具３１下面の塵埃吸込口３４と床面との密閉性が上がるため、前記吸込具３１が床面に吸着して、操作力が重くなってしまう。この対応策として、本実施例においては、吸込具３１内に設けられた圧力センサ１８から検出した真空度と、表４，５，６の標準真空度との差に応じて、空気取入口３５の開口面積（率）に補正をかけている。具体的には、第１の実施の形態と同様に、第１の実施の形態の表２に示すテーブルに基づいて、運転ポジションと、「標準真空度−圧力センサ１８から検出した真空度」とにより決定される補正量を、表４，５，６の開口面積（率）狙いに加えている。
【００４０】
このように、同じ運転ポジションにおいても、床面の集塵性能が必要な場合、例えば床面からの吸気内に塵埃が多く含まれている時には、通常よりも空気取入口３５の開口面積を小さくすることで吸込具３１内の真空度を高くして集塵性能を確保した上で、更に、じゅうたん上や壁際など、吸込具３１内の真空度が高くなり過ぎて吸着することで操作性が悪化する場合には、空気取入口３５の開口面積を大きくすることで、操作性を確保することが可能となる。又、浮遊塵埃の集塵性能を高くしたい場合、例えば空気取入口３５からの吸気内に塵埃が多く含まれている時には、通常よりも空気取入口３５の開口面積を大きくすることで、浮遊塵埃の集塵性能を確保できるようになる。
【００４１】
尚、本実施の形態においては、開口面積（率）の補正に圧力センサ１８を用いているが、圧力センサで吸込具３１内の真空度を検知する代わりに、風量センサによって空気取入口３５からの吸気風量を検知し、その風量に応じて開口面積（率）に補正をかけるようにすれば、浮遊塵埃の集塵性能をほぼ一定に保つことも可能である。
【００４２】
以上のように、本実施の形態によれば、床面の集塵性能が必要な際には、空気取入口３５の開口面積を小さくすることで吸込具３１内の真空度を高くし、逆にじゅうたん上や壁際など、吸込具３１内の真空度が高くなり過ぎて吸着することで操作性が悪化する場合には、空気取入口３５の開口面積を大きくすることで高い操作性を維持することができ、性能面・使用性共に高い電気掃除機を提供できるものである。
【産業上の利用可能性】
【００４３】
以上のように、本発明に係る電気掃除機、特に、床面のみでなく空気中の浮遊塵埃をも集塵する電気掃除機に対して効果を発揮するものであり、家庭用だけでなく、ビルトインタイプ（セントラルクリーナ）のような電気掃除機にも応用・展開できる。
【図面の簡単な説明】
【００４４】
【図１】本発明の実施の形態における電気掃除機の回路ブロック図
【図２】同電気掃除機の全体斜視図
【図３】同電気掃除機の吸込具断面図
【符号の説明】
【００４５】
１    商用電源
２    電動送風機
３    駆動回路Ａ
４    電源回路
５    操作部
６    回転ブラシモータ
７    駆動回路Ｂ
８    電源コード
９    信号制御手段
１０  シャッターモータ
１１  ホールＩＣ
１２  発光素子Ａ
１３  受光素子Ａ
１４  発光素子Ｂ
１５  受光素子Ｂ
１６  塵埃検出手段Ａ
１７  塵埃検出手段Ｂ
１８  圧力センサ（真空度検出手段）
１９  パルス変換手段Ａ
２０  パルス変換手段Ｂ
２１  掃除機本体
２２  電動送風機室
２３  集塵室
２４  ホース
２５  接続パイプ
２６  吸気口
２７  把手
２８  先端パイプ
２９  延長管
３０  回転ブラシ
３１  吸込具
３２  回路基板Ａ
３３  回路基板Ｂ
３４  塵埃吸込口
３５  空気取入口
３６  シャッター
３７  接続管
３８  減速機
３９  駆動回路Ｃ
【図１】
2009247597.tif 000009
【図２】
2009247597.tif 000010
【図３】
2009247597.tif 000011